(57)【要約】【課題】測定バラつきに関わらず、可動接点と固定接点との接触開始位置を高精度に調節可能な、固定接点調節方法および装置を提供する。【解決手段】固定接点の調節方法を、可動接点を所定位置に支持するステップと、調整子の押圧により固定接点端子を変形させ、所望の調整位置の前記固定接点位置３（ｂ）を調整子の移動距離により計測するステップと、この復元後の前記固定接点位置３（ｃ）を調整子の移動距離により計測するステップと、位置３（ｂ）と位置３（ｃ）とに基づき復元量Ｓを求めるステップと、復元量Ｓとこれに対応する係数Ｋとに基づいて、固定接点端子の所望の塑性変形を得るための必要変形量を調整子の移動距離として定めるステップと、該移動距離まで調整子を移動し、必要変形量まで固定接点端子を変形させるステップとにより構成した。【選択図】      図３
2004164888.tif 000002
【特許請求の範囲】
【請求項１】
可動接点が一定量移動したときに、固定接点端子に設けられた固定接点が該可動接点と接触を開始するように、前記固定接点端子を変形させる固定接点位置調整方法において、
前記可動接点を所定位置に支持する可動接点支持ステップと、
前記固定接点端子を変形させる第１の変形ステップと、
前記第１の変形ステップにより所望の調整位置に至る前記固定接点に関する第１の位置を計測する第１の測定ステップと、
前記第１の変形ステップの弾性変形に係る復元後の前記固定接点に関する第２の位置を計測する第２の測定ステップと、
前記第１および第２の位置に基づき復元量を求める復元量算出ステップと、
前記復元量に基づいて、前記固定接点が前記所望の調整位置となるように前記固定接点端子の変形状態を得るための必要変形量を定める必要変形量算出ステップと、
前記必要変形量まで前記固定接点端子を変形させる第２の変形ステップとを備えることを特徴とする固定接点位置調整方法。
【請求項２】
前記復元量算出ステップにおいて、前記復元量に対応して定まる係数と該復元量に基づき、前記必要変形量を定めることを特徴とする請求項１に記載の方法。
【請求項３】
前記第２の変形ステップの後に、
該第２の変形ステップの弾性変形に係る復元により所望の調整位置に至る前記固定接点に関する第３の位置を計測するステップと、
該復元後の前記固定接点に関する第４の位置を計測するステップと
該第３および第４の位置を比較するステップとをさらに備えることを特徴とする請求項１または２に記載の方法。
【請求項４】
前記可動接点支持ステップにおいて前記可動接点を所定位置に支持したとき、前記固定接点と前記可動接点とが接触している場合には、
前記第１の位置は、前記固定接点と前記可動接点とが分離を開始するときの前記固定接点に関する位置であり、
前記第３の位置は、前記固定接点と前記可動接点とが接触を開始するときの前記固定接点に関する位置であることを特徴とする請求項１から３のいずれか一項に記載の方法。
【請求項５】
前記可動接点支持ステップにおいて前記可動接点を所定位置に支持したとき、前記固定接点と前記可動接点とが分離している場合には、
前記第１の位置は、前記固定接点と前記可動接点とが接触を開始するときの前記固定接点に関する位置であり、
前記第３の位置は、前記固定接点と前記可動接点とが分離を開始するときの前記固定接点に関する位置であることを特徴とする請求項１から３のいずれか一項に記載の方法。
【請求項６】
前記第１および第２の変形ステップにおいて、前記固定接点端子の一端を押圧する調整子を一定方向に移動させることにより、前記変形を行うことを特徴とする請求項１から５のいずれか一項に記載の方法。
【請求項７】
前記第２および第４の位置は、前記調整子を前記一定方向と逆方向に移動させることにより、該調整子と前記固定接点端子とが分離を開始するときの前記固定接点に関する位置であることを特徴とする請求項６に記載の方法。
【請求項８】
前記固定接点に関する位置として、前記調整子の初期位置からの移動量を計測することを特徴とする請求項６または７に記載の方法。
【請求項９】
前記復元量算出ステップにおいて、前記第１と第２との位置の差を前記復元量として求め、
必要変形量算出ステップにおいて、前記第１の位置をＸ、前記復元量をＳ、該復元量に対応して定まる係数をＫとするとき、次式
必要移動量＝Ｘ＋Ｋ×Ｓ
による前記調整子の初期位置からの必要移動量を前記必要変形量として定め、
前記調整子を前記必要移動量だけ前記一定方向に移動させることにより、前記第２の変形ステップを行うことを特徴とする請求項８に記載の方法。
【請求項１０】
前記固定接点と前記可動接点との接触の有無を電気的導通により判断することを特徴とする請求項４から９のいずれか一項に記載の方法。
【請求項１１】
前記固定接点端子の復元完了を前記固定接点端子と前記調整子との接触の有無により判断し、前記固定接点端子と前記調整子との接触の有無を電気的導通により判断することを特徴とする請求項７から９のいずれか一項に記載の方法。
【請求項１２】
可動接点が一定量移動したときに、固定接点端子に設けられた固定接点が該可動接点と接触を開始するように、前記固定接点端子を変形させる固定接点位置調整装置において、
前記可動接点を所定位置に支持する可動接点支持手段と、
前記固定接点端子を変形させる固定接点端子変形手段と、
前記固定接点に関する位置を計測する位置計測手段と、
前記固定接点端子の弾性変形に係る復元量を求める復元量算出手段と、
前記固定接点端子が所望の変形状態を得るための必要変形量を求める必要変形量算出手段とを備え、
前記位置計測手段は、固定接点端子変形手段による変形によって所望の調整位置に至る該固定接点に関する第１の位置と、該変形の弾性変形に係る復元後の前記固定接点に関する第２の位置とを計測し、
前記復元量算出手段は、前記第１および第２の位置に基づき前記復元量を求め、
前記必要変形量算出手段は、前記復元量に基づいて前記固定接点が前記所望の調整位置となるように前記必要変形量を定め、
前記固定接点端子変形手段は、前記固定接点端子を前記必要変形量まで再度変形させることを特徴とする固定接点位置調整装置。
【請求項１３】
前記必要変形量算出手段は、前記復元量と該復元量に対応して定まる係数に基づいて前記必要変形量を定めることを特徴とする請求項１２に記載の装置。
【請求項１４】
前記位置計測手段は、前記再度の変形の後に、該変形の弾性変形に係る復元により所望の調整位置に至る前記固定接点に関する第３の位置と、該復元後の固定接点に関する第４の位置とを計測し、
該第３および第４の位置を比較する前記調整位置検査手段をさらに備えることを特徴とする請求項１２または１３に記載の装置。
【請求項１５】
可動接点支持手段により前記可動接点を所定位置に支持したとき、調整前の前記固定接点と前記可動接点とが接触している場合には、
前記第１の位置は、前記固定接点と前記可動接点とが分離を開始するときの前記固定接点に関する位置であり、
前記第３の位置は、前記固定接点と前記可動接点とが接触を開始するときの前記固定接点に関する位置であることを特徴とする請求項１２から１４のいずれか一項に記載の装置。
【請求項１６】
可動接点支持手段により前記可動接点を所定位置に支持したとき、調整前の前記固定接点と前記可動接点とが分離している場合には、
前記第１の位置は、前記固定接点と前記可動接点とが接触を開始するときの前記固定接点に関する位置であり、
前記第３の位置は、前記固定接点と前記可動接点とが分離を開始するときの前記固定接点に関する位置であることを特徴とする請求項１２から１４のいずれか一項に記載の装置。
【請求項１７】
前記固定接点端子変更手段が、一定方向に移動して前記固定接点端子の一端を押圧する調整子であることを特徴とする請求項１２から１６のいずれか一項に記載の装置。
【請求項１８】
前記第２および第４の位置は、前記調整子が前記一定方向と逆方向に移動することにより該調整子と前記固定接点端子とが分離を開始するときの前記固定接点に関する位置であることを特徴とする請求項１７に記載の装置。
【請求項１９】
前記位置計測手段は、前記調整子の初期位置からの移動量を計測することを特徴とする請求項１７または１８に記載の装置。
【請求項２０】
前記復元量算出手段は、該第１および第２の位置の差を前記復元量として求め、
前記必要変形量算出手段は、前記第１の位置をＸ、前記復元量をＳ、該復元量に対応して定まる係数をＫとするとき、次式
必要移動量＝Ｘ＋Ｋ×Ｓ
により与えられる前記調整子の初期位置からの必要移動量を前記必要変形量として定め、
前記固定接点端子変形手段は、前記調整子を前記必要移動量だけ前記一定方向に移動させることにより、前記再度の変形を行うことを特徴とする請求項１９に記載の装置。
【請求項２１】
前記固定接点と前記可動接点との間の導通検査手段を備えることを特徴とする請求項１５から２０のいずれか一項に記載の装置。
【請求項２２】
前記固定接点端子と前記調整子との間の導通検査手段を備えることを特徴とする請求項１８から２０のいずれか一項に記載の装置。
【発明の詳細な説明】
【０００１】
【発明の属する技術分野】
本発明は、固定接点と可動接点とを有する部品における固定接点の位置の調整方法および調整装置に関する。
【０００２】
【従来の技術】
図１に、固定接点と可動接点とを有する部品およびその固定接点の従来の位置調整装置の概略構成図を示す。部品１は固定接点３、固定接点３を保持する固定接点端子５、可動接点７、可動接点７を保持する可動接点端子９、固定接点端子５および可動接点端子９を結合する絶縁部品１１、ピン１３、ロータ１５から構成されている。ロータ１５はピン１３を中心として回転し、これにより可動接点端子９が押し下げられて、可動接点７が固定接点３に接触する。このような固定接点３と可動接点７とを有する部品１は、どの部品も可動接点７が一定量移動したときに固定接点３と接触を開始するように、固定接点端子５を塑性変形させて固定接点３の位置を調整することが必要である。
【０００３】
図１および図２を用いて固定接点３の従来の調整方法を説明する。図２は位置調整中の固定接点３および可動接点７の位置を示す図である。従来の調整方法では、まず調整前の固定接点３の位置３（ａ）および可動接点７の位置７（ａ）を図示しない計測手段により計測する。そして、接触位置算出手段２３により可動接点７が前記一定量移動した位置７（ｂ）、および可動接点７が位置７（ｂ）まで移動したとき、固定接点３と可動接点７とが接触を開始する位置、すなわち所望の調整位置３（ｂ）を算出する。
【０００４】
次に、固定接点端子変形手段である調整子２５を駆動手段２７により駆動して固定接点端子５を押し下げることにより、固定接点３が位置３（ｂ）に至るまで固定接点端子５を変形させて１回目の調整を行う。しかし通常の場合、固定接点３は弾性を有するので調整子２５を上昇させることにより若干量復元（スプリングバック）し、固定接点３は、所望の調整位置３（ｂ）と異なる位置３（ｃ）に位置する。
【０００５】
次に、復元した固定接点位置３（ｃ）を図示しない計測手段により計測し、調整子移動量算出手段２９により、計測値から固定接点３が３（ｂ）から３（ｃ）に至るまでの調整子２５の移動量および固定接点端子５の復元量を算出する。そして、調整量算出手段３１により、復元量と製品毎に一定な係数Ｋ’との積から２回目の必要移動量を算出して、位置３（ｂ）より下に必要移動量分だけ調整子２５を降下させて、固定接点端子５を固定接点３が位置３（ｄ）に至る必要変形量まで変形させることにより固定接点の位置を調整していた。
【０００６】
なお、本発明に関して記載すべき先行技術文献はない。出願人が知っている先行技術が文献公知発明に係るものではないからである。
【０００７】
【発明が解決しようとする課題】
しかしながら、従来の調整方法および調整装置では、以下の問題点により高精度な接点の接触位置を確保することが困難であった。すなわち、所望の調整位置３（ｂ）の導出にあたって、調整前の固定接点３および可動接点７の位置を計測し、その計測値から演算により算出しているために、計測のバラつき、部品１の調整装置２１へのセッティングのバラつき、または可動接点７の変形バラつきなどにより、実際に接触を開始する位置３（ｂ）を算出することが困難であった。
【０００８】
また２回目の調整移動量の導出にあたって、復元後の固定接点位置を測定し、その測定値から固定接点３が３（ｂ）から３（ｃ）に至るまでの調整子の移動量を演算により算出しているために、前記計測のバラつき等の理由により実際の復元に伴う調整子の移動量を高精度に求めることができず、高精度に調整移動量を導出することが困難であった。
【０００９】
本発明の目的は、上記のごとき状況を鑑みて、接点の接触開始位置を高精度に調節可能な固定接点調節方法および装置を提供することにある。
【００１０】
【課題を解決するための手段】
前記課題を解決するために、本発明では、予め可動接点を所定位置に支持しつつ固定接点端子を変形させていき、実際に固定接点と可動接点とが所望の接触状態に至ったときの固定接点に関する位置を計測することとした。このようして定めた固定接点に関する位置を所望の調整位置とすることで、前記の計測バラつきに応じた実際の接触位置を求めることが可能となる。ここで、所望の接続状態に至る固定接点の位置は、可動接点が所定位置に支持されたとき、調整前の固定接点と接触する場合とそうでない場合によって２通りに定めることとした。
【００１１】
すなわち、可動接点が所定位置に支持されることにより、調整前の固定接点と接触する場合には、前記所望の接触状態に至った固定接点に関する位置とは、固定接点を変形させることにより可動接点と分離を開始する位置として定めることとした。反対に可動接点が所定位置に支持されることにより、調整前の固定接点と接触していない場合には、前記所望の接触状態に至った固定接点に関する位置とは、固定接点を変形させることにより可動接点と接触を開始する位置として定めることとした。
【００１２】
また、固定接点端子の変形手段としては、一定方向へ移動することにより固定接点端子の一端を押圧して変形させる調整子を用い、固定接点に関する位置として該調整子の初期位置からの移動量を計測することとした。このように、可動接点と所望の接触状態に至ったときの固定接点に関する位置、および弾性変形により復元した後および必要変形量だけ移動したときの固定接点に関する位置を、それぞれ調整子の移動量として計測することにより、前記の計測バラつき等に応じた位置調整が可能となる。
【００１３】
また、前記で説明した係数Ｋ’は、１回目の調整時の復元量に応じて変化させるのが好適であるところ、従来は前記計測のバラつき等による影響の方が大きいために製品ごとに一定の係数を使用していた。本発明では、前記の通り計測のバラつきに応じた位置調整を可能としたことに伴い、この係数を１回目の調整時の復元量に応じて定めることとした。すなわち本発明の２回目の調整は、１回目の調整時の復元量に対応して定まる係数Ｋと復元量の積で定まる距離だけ、固定接点を所望の調整位置より下に移動させて行うこととした。これにより高精度の位置調整が可能となる。
【００１４】
また本発明では、２回目の調整に伴う復元時に、復元により所望の調整位置に至る固定接点と、復元後の固定接点とに関する位置を計測してその位置を対比することとした。これにより調整後の固定接点の位置の評価が可能となり、より高精度の位置調整に資する。
【００１５】
さらに本発明では、固定接点と可動接点との接触の有無を電気的導通の有無で判断し、かつ固定接点端子の復元完了を、電気的導通の有無により固定接点端子と調整子との接触の有無をもって判断することとした。これにより、実際の可動接点と固定接点間の電気的導通という意味での接触状態を、より正確に判断しうるとともに、固定接点端子の復元を容易に検知することが可能となり、正確で簡易な調整位置の計測が可能となる。
【００１６】
【発明の実施の形態】
以下、図３、図４および図５を参照して本発明による固定接点位置調整方法および装置を説明する。図３は、固定接点と可動接点とを有する調整前の部品、および本発明による固定接点位置調整装置の構成概略図である。図４は、本発明による位置調整方法のフォローチャートである。図５は、本発明による第１の位置調整方法による調整中の固定接点３、可動接点７および調整子の推移を示す図である。
【００１７】
図１と同様に、部品１は固定接点３、固定接点３を保持する固定接点端子５、可動接点７、可動接点７を保持する可動接点端子９、固定接点端子５および可動接点端子９を結合する絶縁部品１１、ピン１３、ロータ１５から構成されている。
【００１８】
本発明による調整装置３１は、ロータ１５を押圧して可動接点７を所定位置へ移動し支持する押圧子３３、および固定接点端子５を押圧して変形させる調整子３５を備えている。押圧子３３は図示しない駆動手段により、調整子３５は駆動手段３７により上下動作を行い、これらの移動は双方の駆動手段に設けられたサーボモータおよびボールねじにより与えられる。
【００１９】
固定接点端子５と調整子３５との間、および固定接点３と可動接点７との間には、それぞれ導通検知手段３９、導通検知手段４１が設けられており、それぞれ固定接点端子５と調整子３５、および固定接点３と可動接点７の接触の有無を検知して位置計測手段４３に出力する。
【００２０】
いま、押圧子３３を降下させ、ロータ１５を介して可動接点７を、固定接点３に接触後さらに所定位置まで移動して支持する（Ｓ６１）。このとき可動接点７と固定接点３の間は電気的導通が有る状態となる（図５（ａ））。
【００２１】
次に、調整子３５を降下させて固定接点端子５を変形させ１回目の調整を行う（Ｓ６３）。それにより固定接点３と可動接点７とが分離を開始するので（図５（ｂ））、これを導通検知手段４１により検知する。そのとき位置計測手段４３は、駆動手段３７のサーボモータに設けたエンコーダなどの移動量検出手段４５により、調整子の初期位置からの移動量を計測し、所望の調整位置に至った固定接点３に関する第１の位置として記憶する（Ｓ６５）。
【００２２】
次に、調整子３５を上昇させ固定接点端子５を復元させる。復元が完了すると調整子３５は固定接点端子５と分離を開始するため（図５（ｃ））、これにより電気的導通が無くなったことを導通検知手段３９により検知する。そして位置計測手段４３は、移動量検出手段４５により調整子の初期位置からの移動量を計測し、復元後の固定接点に関する第２の位置として記憶する（Ｓ６７）。
【００２３】
復元量算出手段４７は、こうして計測された第１および第２の固定接点に関する位置である調整子の移動量の差から、復元量Ｓを算出する（Ｓ６９）。そして必要変形量算出手段４９は、復元量Ｓに対応して係数Ｋを算出または選択し、必要変形量Ｓ×Ｋを算出する（Ｓ７１）。係数Ｋは、予め本装置により何度か位置調整した結果に基づいて定めておく。係数Ｋは、復元量Ｓに対する関数の形式で定めてもよく、復元量Ｓを複数の範囲に区切り、その範囲に応じて適用する一定値の集合として定めてもよい。そして、駆動手段３７は、所望の調整位置から下に必要変形量Ｓ×Ｋ（図５（ｄ））だけ調整子３５を降下させて２回目の調整を行う（Ｓ７３）。
【００２４】
その後、調整後の検査を行うために調整子３５を上昇させる。これにより固定接点３と可動接点７とが接触を開始して所望の調整位置に至ったとき（図５（ｅ））、両者の接触により電気的導通が生じ、これを導通検知手段４１により検知する。位置計測手段４３は、このときの調整子の初期位置からの移動量を計測し、所望の調整位置に至った固定接点３に関する第３の位置として記憶する（Ｓ７５）。
【００２５】
さらに調整子３５を上昇させ、固定接点端子５と調整子３５とが分離を開始して２回目の調整に伴う復元が完了したとき、両者の分離により電気的導通が無くなり、これを導通検知手段４１により検知する（図５（ｆ））。位置計測手段４３は、このときの調整子の初期位置からの移動量を計測し、復元後の固定接点３に関する第４の位置として記憶する（Ｓ７７）。調整位置検査手段５１は、この２つの移動量を比較することにより、調整後、すなわち２回目の調整に伴う復元後の固定接点位置が、所望の調整位置の許容誤差範囲内となっているか否かを検査する（Ｓ７９）。
【００２６】
前記のように、２回目の調整に伴う復元が完了する前に、固定接点３と所定位置に支持した可動接点７とが接触を開始する場合には、復元後の実際の固定接点位置と所望の調整位置とにどれだけの誤差があるかを測定することが可能である。しかし、調整の不具合により、固定接点３と可動接点７とが接触しないまま復元が完了してしまった場合には、固定接点位置が許容誤差範囲外であることだけは判明するが、その誤差がどれくらいであるかを測定することができない。したがって、固定接点３と可動接点７とが接触しないまま復元完了に至ってしまった場合も、調整後の固定接点位置の誤差がどれくらいであるかを測定するために、図５（ａ）〜（ｄ）に示す調整時と、図５（ｅ），（ｆ）に示す検査時とで可動接点７の支持位置を変えることが好適である。例えば検査時には可動接点７の支持位置をやや下方とするなどである。
【００２７】
図６は、本発明による第２の位置調整方法による調整中の固定接点３、可動接点７および調整子の推移を示す図である。図５（ａ）と図６（ａ）を比較して分かるとおり、第２の位置調整方法では、可動接点７が所定位置まで移動しても、固定接点３の間に電気的導通が無い状態に対応したものである（図６（ａ））。いま、押圧子３３を降下させ、ロータ１５を介して可動接点７を所定位置まで移動して支持する（Ｓ６１）。このとき可動接点７と固定接点３の間には電気的導通が無い状態となる（図６（ａ））。
【００２８】
次に、調整子３５を降下させて固定接点端子５を変形させ１回目の調整を行う（Ｓ６３）。それにより固定接点３と可動接点７とが接触を開始するので（図６（ｂ））、これを導通検知手段４１により検知する。そのとき位置計測手段４３は、駆動手段３７のサーボモータに設けたエンコーダなどの移動量検出手段４５により、調整子の初期位置からの移動量を計測し、所望の調整位置に至った固定接点３に関する第１の位置として記憶する（Ｓ６５）。
【００２９】
次に、調整子３５を上昇させ固定接点端子５を復元させる。復元が完了すると調整子３５は固定接点端子５と分離を開始するため（図６（ｃ））、これにより電気的導通が無くなったことを導通検知手段３９により検知する。そして位置計測手段４３は、移動量検出手段４５により調整子の初期位置からの移動量を計測し、復元後の固定接点に関する第２の位置として記憶する（Ｓ６７）。
【００３０】
復元量算出手段４７は、こうして計測された所望の調整位置と復元後の固定接点に関する位置である調整子の移動量の差から、復元量Ｓを算出する（Ｓ６９）。そして必要変形量算出手段４９は、復元量Ｓに対応して係数Ｋを算出または選択し、必要変形量Ｓ×Ｋを算出する（Ｓ７１）。係数Ｋは、予め本装置により何度か位置調整した結果に基づいて定めておく。係数Ｋは、復元量Ｓに対する関数の形式で定めてもよく、復元量Ｓを複数の範囲に区切り、その範囲に応じて適用する一定値の集合として定めてもよい。そして、駆動手段３７は、所望の調整位置から下に必要変形量Ｓ×Ｋ（図６（ｄ））だけ調整子３５を降下させて２回目の調整を行う（Ｓ７３）。
【００３１】
その後、調整後の検査を行うために調整子３５を上昇させる。これにより固定接点３と可動接点７とが分離を開始して所望の調整位置に至ったとき（図６（ｅ））、両者の分離により電気的導通が無くなり、これを導通検知手段４１により検知する。位置計測手段４３は、このときの調整子の初期位置からの移動量を計測し、所望の調整位置に至った固定接点３に関する第３の位置として記憶する（Ｓ７５）。
【００３２】
さらに調整子３５を上昇させ、固定接点端子５と調整子３５とが分離を開始して２回目の調整に伴う復元が完了したとき、両者の分離により電気的導通が無くなり、これを導通検知手段４１により検知する（図６（ｅ））。位置計測手段４３は、このときの調整子の初期位置からの移動量を計測し、復元後の固定接点３に関する第４の位置として記憶する（Ｓ７７）。調整位置検査手段５１は、この２つの移動量を比較することにより、調整後、すなわち２回目の調整に伴う復元前に、固定接点３と可動接点７とが分離を開始しているか否かを検査する（Ｓ７９）。
【００３３】
この第２の位置調整方法においても、固定接点３と可動接点７とが分離しないまま復元完了に至ってしまった場合に、調整後の固定接点位置の誤差がどれくらいであるかを測定するために、図６（ａ）〜（ｄ）に示す調整時と、図６（ｅ），（ｆ）に示す検査時とで可動接点７の支持位置を変えることが好適である。例えば検査時には可動接点７の支持位置をやや上方とするなどである。
【００３４】
【発明の効果】
本発明により、計測のバラつき、調整装置へのセッティングのバラつき、および可動接点の変形バラつきに関わらず、接点の接触開始位置を高精度に調節することが可能となる。
【図面の簡単な説明】
【図１】固定接点と可動接点とを有する部品およびその固定接点の従来の位置調整装置の概略構成図である。
【図２】位置調整中の固定接点３および可動接点７の位置を示す図である。
【図３】固定接点と可動接点とを有する部品およびその固定接点の本発明による位置調整装置の概略構成図である。
【図４】本発明による位置調整方法のフォローチャートである。
【図５】本発明による第１の位置調整方法による調整中の固定接点３、可動接点７および調整子の推移を示す図である。
【図６】本発明による第２の位置調整方法による調整中の固定接点３、可動接点７および調整子の推移を示す図である。
【符号の説明】
３…可動接点
５…可動接点端子
７…駆動接点
３３…押圧子
３５…調整子
３９、４１…導通検知手段
４３…位置計測手段
４５…移動量検出手段
４７…復元量算出手段
４９…必要変形量算出手段
５１…調整位置検査手段
【図１】
2004164888.tif 000003
【図２】
2004164888.tif 000004
【図３】
2004164888.tif 000005
【図４】
2004164888.tif 000006
【図５】
2004164888.tif 000007
【図６】
2004164888.tif 000008